(57)【要約】【課題】通信機器の内部において二次コイルを精度良く位置決めすることができ、効率良く充電することができる通信機器を提供する。【解決手段】中ケース１６の底部２２にコイル収納部２７を設け、当該コイル収納部２７を含んだ底部２２を上方へ撓み可能に設けるとともに、コイル収納部２７に収納された二次コイル７に当接し、自身の弾性力によって二次コイル７を下方へ押し付ける押し付け片３３を設ける一方、中ケース１６の下面（特にコイル収納部２７の下面）から位置決め孔２４の中心が位置する高さ位置までの上下方向距離Ｌ１を、前ケース９の当接片１５の内面からボス１４の中心が位置する高さ位置までの上下方向距離Ｌ２よりも長くした。【選択図】図３
2015070385.tif 000002
【特許請求の範囲】
【請求項１】
前ケースと後ケースとを組み立ててなる本体ケース内に、充電器側に設置された一次コイルとの間で磁界結合可能な二次コイルを備えており、前記一次コイルと前記二次コイルとを磁界結合させることで充電可能とした通信機器であって、
前記本体ケース内に、前記二次コイルを収納可能な前記コイル収納部を底部に有する中ケースを設置し、前記中ケースの前記底部を上方へ撓み可能とするとともに、前記中ケースに、前記コイル収納部に収納されている前記二次コイルに当接し、自身の弾性力によって前記二次コイルを下方へ押し付ける付勢部材を設ける一方、
前記中ケースに、位置決め凸部と前記位置決め凸部が嵌入可能な位置決め凹部との何れか一方である第１位置決め部を、前記前ケース又は前記後ケースに、前記位置決め凸部と前記位置決め凹部との何れか他方である第２位置決め部を夫々設けるとともに、前記中ケースの底部の下面から前記第１位置決め部が位置する高さ位置までの上下方向距離を、前記前ケース又は前記後ケースの底面の内面から前記第２位置決め部が位置する高さ位置までの上下方向距離よりも長くしており、
前記中ケースの前記底部が、前記前ケース又は前記後ケースの前記底面に当接して押し上げられることにより、前記中ケースが、前記底部を上方へ撓ませた状態で前記本体ケース内に収納されていることを特徴とする通信機器。
【発明の詳細な説明】
【技術分野】
【０００１】
本発明は、たとえばインターホンシステムで使用する室内子機等といった通信機器であって、特に非接触型の充電機能を有する通信機器に関するものである。
【背景技術】
【０００２】
従来、たとえばインターホンシステムで使用する室内子機等の通信機器としては、非接触型の充電機能を有するものが知られている。すなわち、通信機器側に充電池及び二次コイルを、通信機器を起立姿勢で支持可能な充電器側に一次コイルを夫々設け、通信機器を充電器に支持させることにより、通信機器の充電池を充電可能としたものである（たとえば特許文献１）。
【先行技術文献】
【特許文献】
【０００３】
【特許文献１】特開平８−１９１８５号公報
【発明の概要】
【発明が解決しようとする課題】
【０００４】
上記通信機器の充電池を効率良く充電させようとすると、一次コイルと二次コイルとの距離が一定となるように、通信機器の内部において二次コイルを精度良く位置決めする必要がある。しかしながら、そのような二次コイルを位置決めするための機構を備えた通信機器は見当たらない。
【０００５】
そこで、本発明は、通信機器の内部において二次コイルを精度良く位置決めすることができ、効率良く充電することができる通信機器を提供しようとするものである。
【課題を解決するための手段】
【０００６】
上記目的を達成するために、本発明は、前ケースと後ケースとを組み立ててなる本体ケース内に、充電器側に設置された一次コイルとの間で磁界結合可能な二次コイルを備えており、前記一次コイルと前記二次コイルとを磁界結合させることで充電可能とした通信機器であって、前記本体ケース内に、前記二次コイルを収納可能な前記コイル収納部を底部に有する中ケースを設置し、前記中ケースの前記底部を上方へ撓み可能とするとともに、前記中ケースに、前記コイル収納部に収納されている前記二次コイルに当接し、自身の弾性力によって前記二次コイルを下方へ押し付ける付勢部材を設ける一方、前記中ケースに、位置決め凸部と前記位置決め凸部が嵌入可能な位置決め凹部との何れか一方である第１位置決め部を、前記前ケース又は前記後ケースに、前記位置決め凸部と前記位置決め凹部との何れか他方である第２位置決め部を夫々設けるとともに、前記中ケースの底部の下面から前記第１位置決め部が位置する高さ位置までの上下方向距離を、前記前ケース又は前記後ケースの底面の内面から前記第２位置決め部が位置する高さ位置までの上下方向距離よりも長くしており、前記中ケースの前記底部が、前記前ケース又は前記後ケースの前記底面に当接して押し上げられることにより、前記中ケースが、前記底部を上方へ撓ませた状態で前記本体ケース内に収納されていることを特徴とする。
この構成によれば、中ケースに、位置決め凸部と位置決め凸部が嵌入可能な位置決め凹部との何れか一方である第１位置決め部を、前ケース又は後ケースに位置決め凸部と位置決め凹部との何れか他方である第２位置決め部を夫々設けるとともに、中ケースの底部の下面から第１位置決め部が位置する高さ位置までの上下方向距離を、前ケース又は後ケースの底面の内面から第２位置決め部が位置する高さ位置までの上下方向距離よりも長くしており、中ケースの底部が、前ケース又は後ケースの底面に当接して押し上げられることにより、中ケースが、底部を上方へ撓ませた状態で本体ケース内に収納されている。そのため、二次コイルは、付勢部材により下方へ押し付けられてコイル収納部内で強固に固定されることになる。したがって、コイル収納部内での位置がずれたりすることなく、二次コイルを精度良く位置決めすることができ、ひいては効率良く充電することができる。
【発明の効果】
【０００７】
本発明によれば、中ケースの底部の下面から第１位置決め部が位置する高さ位置までの上下方向距離を、前ケース又は後ケースの底面の内面から第２位置決め部が位置する高さ位置までの上下方向距離よりも長くし、本体ケース内へ中ケースを収納するにあたり、前ケース又は後ケースの底面と中ケースの底部とが当接して、中ケースの底部が上方へ撓んだ状態で収納されるようにした。そのため、二次コイルは、付勢部材の弾性力によりコイル収納部内で強固に固定されることになる。したがって、コイル収納部内で位置がずれたりすることなく、二次コイルを精度良く位置決めすることができ、ひいては効率良く充電することができる。
【図面の簡単な説明】
【０００８】
【図１】室内子機及び充電器を前面側から示した説明図である。
【図２】室内子機を分解した状態を後面側から示した説明図である。
【図３】前ケース及び中ケースの下部を示した説明図である。
【図４】スイッチカバーを前方から示した説明図である。
【図５】二次コイルを収納していない状態における中ケースとスイッチカバーとの組み付け状態を示した説明図である。
【図６】二次コイルを収納した状態における中ケースとスイッチカバーとの組み付け状態を示した説明図である。
【図７】基板が設置された状態にある中ケースの下端部を後方から示した説明図である。
【発明を実施するための形態】
【０００９】
以下、本発明の一実施形態となる室内子機について、図面にもとづき詳細に説明する。
【００１０】
図１は、室内子機１及び充電器５０を前面側から示した説明図である。図２は、室内子機１を分解した状態を後面側から示した説明図である。図３は、前ケース９及び中ケース１６の下部を示した説明図である。図４は、スイッチカバー１８を前方から示した説明図である。図５は、二次コイル７を収納していない状態における中ケース１６とスイッチカバー１８との組み付け状態を示した説明図であり、図６は、二次コイル７を収納した状態における中ケース１６とスイッチカバー１８との組み付け状態を示した説明図である。図７は、基板１７が設置された状態にある中ケース１６の下端部を後方から示した説明図である。
【００１１】
室内子機１は、インターホンシステムを構成する一要素として居室内等で使用されるものであって、本体ケース３の前面には、映像を表示可能な表示部４や通話のためのマイク部５が設けられているとともに、通話ボタン６を始め各種ボタンが露出している。また、本体ケース３の内部に、円環板状の二次コイル７と、当該二次コイル７に充電回路を介して接続される充電池（図示せず）とが設置されている。そして、充電器５０の支持凹部５１内へ本体ケース３の下部側を差し込むことにより、充電器５０の内部に設置されている一次コイル（図示せず）と室内子機１の二次コイル７とが磁界結合し、室内子機１の充電池が充電されるようになっている。なお、通話のためのスピーカ部（図示せず）は、本体ケース３の後面に設けられている。
【００１２】
上記室内子機１の本体ケース３は、後ケース８と、該後ケース８の前方を覆うように組み付けられる前ケース９とからなる。後ケース８は、前方に開口する箱状に形成されており、後面の略中央部には、スピーカ孔１０が設けられている。また、後ケース８の後面下部には、充電池を収納するための電池収納部１１が設けられている。なお、１２は、電池収納部１１を被覆する電池カバーである。一方、前ケース９は、後ケース８の前面開口を覆うカバー状に形成されており、前面には表示部４や各種ボタンを露出するための種々の開口１３、１３・・が形成されている。また、前ケース９の前面の内面側下部には、後ケース８をネジ止めするための一対のボス１４、１４が後方へ突設されている。加えて、前ケース９の下端縁には、本体ケース３を支持凹部５１へ差し込んだ際に、支持凹部５１の底面に当接する当接片１５が後方へ突設されており、該当接片１５が前ケース９の底面を構成している。
【００１３】
また、本体ケース３の内部には、二次コイル７を収納する中ケース１６、通話回路や充電回路、各種スイッチ等が搭載された基板１７、各種ボタンと基板１７との間に配され、ボタンの押し込み操作に応じて基板１７上のスイッチを操作するとともに、後述の如くして二次コイル７を下方へ付勢するスイッチカバー１８、及び基板１７の後面側を覆う基板カバー１９とが収納されている。中ケース１６は、弾性を有する合成樹脂により形成され、その後面側に基板１７が設置されるものであって、前ケース９と基板１７とを仕切る仕切り部２０と、仕切り部２０の左右両側縁から後方へ立設された側壁部２１、２１とを有している。仕切り部２０の中央稍上部には、表示部４を露出させるための窓２３が開設され、仕切り部２０の中央から下部にかけては、本体ケース３の前面に露出する通話ボタン６を始めとした種々のボタンが後方へ押し込み操作可能に設けられている。また、仕切り部２０の下端部には、ボス１４、１４が嵌入可能な位置決め孔２４、２４と、基板１７上に搭載されたマイク部（図示せず）及びスイッチカバー１８のマイクカバー部３９を挿通可能なマイク挿通孔４０とが設けられている。一方、各側壁部２１の上端部における内面側には、中ケース１６の後面側に基板１７を設置した際に、基板１７の後面に当接して基板１７の脱落を防止する上係止片２５と、基板１７の上端に当接して基板１７の脱落を防止する当接リブ２６とが設けられている。
【００１４】
そして、側壁部２１、２１の下端部間に跨がるように、コイル収納部２７を有する底部２２が架設されている。該底部２２は、左右両端部を側壁部２１、２１に連結した帯状部で、仕切り部２０とは連結しておらず、底部２２の上面と仕切り部２０の下端部との間に、隙間２８が設けられている。また、底部２２の左右両端部における内面側（上面側）には、中ケース１６の後面側に基板１７を設置した際に、基板１７の後面に当接して基板１７の脱落を防止する下係止片２９が夫々設けられている。一方、コイル収納部２７は、前面に開口し、二次コイル７を収納した状態で後述する押し付け片３３が入り込み可能な程度の厚みをもった上下方向に平らなポケット状に形成されている。当該コイル収納部２７の上面における前端部は、下面における前端部よりも後方へ切り欠かれている（すなわち、上面の前端に切り欠き部３０が設けられている）。また、コイル収納部２７の下面における内面側には、収納された二次コイル７を安定的に支持するための支持リブ３１、３１・・が突設されている。さらに、コイル収納部２７の下面は、周囲よりも下方へ突出しており、図３に示す如く、当該下面の外面から位置決め孔２４の中心が位置する高さ位置までの上下方向距離Ｌ１は、前ケース９の当接片１５の内面（上面）からボス１４の中心が位置する高さ位置までの上下方向距離Ｌ２よりも僅かに長くなっている。
【００１５】
さらに、スイッチカバー１８は、弾性を有するシリコンゴムにより形成されたものであって、基板１７のスイッチ前方を覆うカバー部３２と、コイル収納部２７に収納された二次コイル７を押し付けるための押し付け片３３とを一体的に有する。カバー部３２には、ボタンの押し込み操作に伴い基板１７のスイッチをＯＮ／ＯＦＦ操作する複数の操作部３４、３４・・が、ボタンに対応して設けられている。一方、押し付け片３３は、カバー部３２から下方へ延びる舌部３５と、舌部３５の先端から後方へ延びる押し付け部３６とからなる。そして、舌部３５には、押し付け片３３の変形を容易とするためのスリット３７が設けられている。なお、３８は、ボス１４が嵌入可能で、スイッチカバー１８の設置位置を位置決めするためのカバー位置決め孔であり、３９は、マイク部を覆うマイクカバー部である。
【００１６】
加えて、基板１７は、上下方向に長い略矩形状に形成されており、左右両下端部には、ボス１４が嵌入可能で、基板１７の設置位置を位置決めするための基板位置決め孔４１、４１が設けられている。また、基板１７の下端縁から基板位置決め孔４１の中心が位置する高さ位置までの上下方向距離（図示せず）は、中ケース１６の底部２２の内面（上面）から位置決め孔２４の中心が位置する高さ位置までの上下方向距離よりも僅かに短くなっている。
【００１７】
そして、本体ケース３を組み立てるにあたっては、まず中ケース１６における仕切り部２０の後面側に、スイッチカバー１８を介在させた状態で基板１７を設置する。このとき、中ケース１６の位置決め孔２４から下方への長さと、基板１７の基板位置決め孔４１から下方への長さとが上述したような関係にあるため、基板１７の下端部は仕切り部２０の下縁を越えて、隙間２８の後方側まで突出するものの、図７に示す如く、基板１７の下端縁と中ケース１６の底部２２の上面との間には、依然として隙間２８が残る。また、スイッチカバー１８を設置することで、図５に示す如く、押し付け片３３の押し付け部３６がコイル収納部２７内へ進入した状態となる。そこで、図６に示す如く、コイル収納部２７内へ二次コイル７を収納させる。すると、二次コイル７と押し付け部３６とが当接し、二次コイル７は、押し付け部３６によりコイル収納部２７の下面側へ押し付けられて、コイル収納部２７内で保持される。
【００１８】
次に、スイッチカバー１８及び基板１７が設置されているとともに、二次コイル７を収納した中ケース１６を、位置決め孔２４、２４へボス１４、１４を嵌入させることにより前ケース９の後面側に設置する。このとき、中ケース１６の下面から位置決め孔２４の中心が位置する高さ位置までの上下方向距離Ｌ１と、前ケース９の当接片１５の内面からボス１４の中心が位置する高さ位置までの上下方向距離Ｌ２とが上述したような関係にあり、且つ、基板１７の下端縁と中ケース１６の底部２２の上面との間に隙間２８が残っていることにより、中ケース１６の底部２２が前ケース９の底面に当接して上方へ押し上げられる。そのため、中ケース１６は、底部２２を上方へ僅かに撓ませた状態で前ケース９の内側に収納されることになる。したがって、コイル収納部２７内での押し付け部３６による二次コイル７への付勢力が増し、二次コイル７は、コイル収納部２７内で一層強く下方へ押し付けられて固定されることになり、安定した状態で精度良く位置決めされることになる。その後、基板カバー１９を組み付けた後、最後に後ケース８を組み付け、ネジ等により前ケース９と後ケース８とを一体化すれば、本体ケース３が組み立てられる。
【００１９】
以上のような構成を有する室内子機１によれば、中ケース１６の底部２２にコイル収納部２７を設け、当該コイル収納部２７を含んだ底部２２を上方へ撓み可能に設けるとともに、コイル収納部２７に収納された二次コイル７に当接し、自身の弾性力によって二次コイル７を下方へ押し付ける押し付け片３３を設ける一方、中ケース１６の底部２２の下面（特にコイル収納部２７の下面）から位置決め孔２４の中心が位置する高さ位置までの上下方向距離Ｌ１を、前ケース９の底面（当接片１５）の内面からボス１４の中心が位置する高さ位置までの上下方向距離Ｌ２よりも長くしている。そして、前ケース９の後面側へ中ケース１６を収納する際、前ケース９の底面と中ケース１６の底部２２とが当接し、中ケース１６の底部２２が上方へ押し上げられることにより、中ケース１６が、底部２２を上方へ撓ませた状態で前ケース９の後面側へ収納されるようになっている。そのため、二次コイル７は、押し付け片３３の弾性力によりコイル収納部２７内で強固に固定されることになる。したがって、コイル収納部２７内で位置がずれたりすることなく、二次コイル７を精度良く位置決めすることができ、ひいては室内子機１を支持凹部５１へ支持させた際に、効率良く充電することができる。
また、押し付け片３３を、スイッチカバー１８と一体的に設けているため、部品点数を削減することができるし、押し付け片３３の設置も容易となる。
【００２０】
なお、本発明に係る通信機器は、上記実施形態の態様に何ら限定されるものではなく、通信機器の全体的な構成は勿論、二次コイルの位置決め等に係る構成について、本発明の趣旨を逸脱しない範囲で、必要に応じて適宜変更することができる。
【００２１】
たとえば、上記実施形態では、スイッチカバー１８の一部として押し付け片３３を設けているが、スイッチカバー１８と二次コイル７を下方へ押し付ける付勢部材とを別体とし、スイッチカバー１８とは別に、付勢部材を中ケース１６に取り付けるように構成することも可能である。なお、付勢部材の形状や数等については、言うまでもなく適宜変更可能である。
また、上記実施形態では前ケース９に第２位置決め部として位置決め凸部（ボス１４）を、中ケース１６に第１位置決め部として位置決め凹部（位置決め孔２４）を夫々設けているが、中ケース１６に位置決め凸部を、前ケース９に位置決め凹部を設けても何ら問題はない。さらに、位置決め凸部や位置決め凹部の位置や数等についても適宜変更可能であり、たとえば後ケースに位置決め凸部や位置決め凹部といった第２位置決め部を設けてもよい。
加えて、上記実施形態では、通信機器の１つである室内子機について説明しているが、非接触型の充電機能を有するものであれば、本発明はたとえば携帯電話やゲーム機等の他の通信機器に対しても好適に適用することができる。
【符号の説明】
【００２２】
１・・室内子機（通信機器）、３・・本体ケース、７・・二次コイル、８・・後ケース、９・・前ケース、１４・・ボス（位置決め凸部、第２位置決め部）、１６・・中ケース、２２・・底部、２４・・位置決め孔（位置決め凹部、第１位置決め部）、２７・・コイル収納部、３３・・押し付け片（付勢部材）、３５・・舌部、３６・・押し付け部、３７・・スリット、５０・・充電器。
【図１】
2015070385.tif 000003
【図２】
2015070385.tif 000004
【図３】
2015070385.tif 000005
【図４】
2015070385.tif 000006
【図５】
2015070385.tif 000007
【図６】
2015070385.tif 000008
【図７】
2015070385.tif 000009